【事件の表示】
　平成　９年特許願第２３１０２２号「乗用型苗植機」拒絶査定に対する審判事件［平成１０年　３月１７日出願公開、特開平１０−　７０９３２］について、次のとおり審決する。
【結　論】
　本件審判の請求は、成り立たない。
【理　由】
　
１，手続きの経緯・本願発明
　本願は、平成５年１月２１日に出願した特願平５−２６１２４号の一部を平成９年８月２７日に新たな特許出願としたものであって、その請求項１に係る発明は、平成１５年１０月３日付けで全文補正された明細書の記載からみて、その請求項１に記載された次のとおりのものである。
　「後輪を装備した乗用型走行車２にリンク装置５を介して、苗箱３００を搬送経路に沿って搬送する苗箱送り台１４と、該搬送経路で苗箱３００から苗を取出す苗取出し手段１６と、苗を植付装置１２の苗取り位置へ搬送する苗搬送手段とを設けた植付部３を装着し、前記苗箱送り台１４を、搬送上手側から順に、苗を収容した苗箱３００の供給部となる苗箱載せ部２１と、該苗箱載せ部２１からの苗箱３００を苗箱載せ部２１より下位にある前記苗取出し手段１６の苗取出し位置へ送る供給側部分並びに苗取出し後の空の苗箱３００（Ｘ）を上側へ送る戻し側部分を備えた機体側面視でＵ字状の苗箱搬送部２２と、該苗箱搬送部２２から送られた空の苗箱３００（Ｘ）を収納して保持する空箱収納部２３とを設けて構成した乗用型苗植機において、乗用型走行車２の後輪の前後方向一方側に前記苗取出し手段１６の苗取出し位置及び苗箱搬送部２２を設け、前記苗箱載せ部２１及び空箱収納部２３を、苗箱搬送部２２の供給側部分及び戻し側部分それぞれの搬送経路の前後方向の最大傾斜より後輪の前後方向他方側上方に向けた緩い前後傾斜姿勢で苗箱３００，３００（Ｘ）を支持する構成としたことを特徴とする乗用型苗植機。」（以下「本願発明」という）
　
２，引用文献に記載の発明
　引用文献１；特開昭６２−１３８１１３号公報
　引用文献２；特開昭５７−１８９６０９号公報
　
　これに対して、当審における、平成１５年７月１４日付けで通知した拒絶の理由に引用した引用文献１の、
　公報第２頁左下欄第１７行−右下欄第９行には「第６図に示すように、車輪式走行機体の後部に、油圧シリンダ（１）によって上下に振動操作されるリンク機構（２）を介して昇降操作されるように苗植付装置（３）を連結すると共に、前記走行機体から苗植付装置（３）に回動力が伝達されるように構成して、乗用型田植機を構成してある。前記苗植付装置（３）を構成するに、機体本体を形成する伝動ケース（４）の後部に、機体横方向に並列させた複数の植付アーム（５）・・夫々をリンク機構（６）を介して上下に揺動駆動されるように取付け、複数の前記植付アーム（５）・・に苗供給する苗のせ台（７）を有した苗供給部を、前記伝動ケース（４）の前端側に設け」と、
　公報第２頁右下欄第１４行−２０行には「第１図及び第４図に示すように、前記苗のせ台（７）を、複数の植付アーム（５）・・に各別に苗供給する複数の苗載置部（７ａ）・・夫々に、多数の１株分のブロック状苗（９）・・を第２図に示す如き育苗用に兼用の容器（１０）にこれの横巾方向及び縦方向の夫々に設定の並列ピッチで並べて収納した状態で搭載するように構成する」と、
　公報第３頁右上欄第１２行−左下欄第５行には、「複数の縦送り具（２３）・・が前記モータ（２６）によって回転駆動され、回転に伴って容器（１０）の長手方向に並らぶ苗収納部（１０ａ）の間に出入りして容器（１０）に係脱する送り爪部（２３ａ）により容器（１０）を苗載置部（７ａ）に沿わせて苗供給口（１１）の側に係止移送するようにしてある。苗のせ台（７）の横巾方向に並列する多数の作用部（２７ａ）・・を備えさせた苗押出し（２７）を、苗のせ台（７）の裏面側に位置させて軸芯（Ｐ１）の周りで揺動するように苗のせ台（７）に付設すると共に、電磁ソレノイド（２９）によって揺動操作されるように構成して、苗のせ台（７）に複数列に載置された全ての容器（１０）夫々からブロック状苗（９）を横一列分ずつ出すための苗出し機構（３０）を構成してある。」と、
　公報第３頁左下欄第１５行−第４頁左上欄第１４行には、「苗のせ台（７）の横巾方向に並列する多数の苗保持針（３１）・・を、苗のせ台（７）の上方に位置させて支持部材（３２）及び支柱（３３）を介して苗のせ台（７）に付設すると共に、第１電磁ソレノイド（３４）により支持部材（３２）に対して摺動操作されるように、かつ、第２電磁ソレノイド（３５）による前記支持部材（３２）の軸芯（Ｐ２）周りでの揺動操作によって揺動操作されるように構成して、前記苗出し機構（３０）が押し出す全てのブロック状苗（９）・・を容器（１０）での並列態様のままで苗出し機構（３０）から受継ぐと共に前記ガイドレール部材（１２）の上に搬送して摺動自在に載置した状態で保持し、植付爪（５ａ）に１つずつ供給する苗保待機構（３６）を構成してある。すなわち、第１図に仮想線で示すように、支持部材（３２）が上昇揺動されると共に苗保持針（３１）・・が上昇摺動されると、苗出し機構（３０）により容器（１０）から出されるブロック状苗（９）・・が苗押出し具（２７）による押出し力によって苗保持針（３１）に刺し込まれることにより、苗出し機構（３０）からの受継ぎ状態になるのである。そして、実線で示すように支持部材（３２）が下降揺動されることにより、苗出し機構（３０）からの受継ぎ苗をガイドレール部材（１２）に搬送するのであり、苗保持針（３１）が下降摺動されることにより、苗保持針（３１）がブロック状苗（９）に突き刺さったままで苗のせ台（７）と共に横移送されるために、苗出し機構（３０）から受継いだブロック状苗（９）を容器（１０）での並列ピッチのままで、かつ、ガイドレール部材（１２）に載置して摺動させながら保持する状態になるのであり、この保持状態では、植付爪（５ａ）が苗供給口（１１）を苗保持針（３１）の基端側から先端側に保持苗を抜き取るように通過することにより、苗供給口（１１）に位置する苗保持針（３１）から保持苗を植付爪（５ａ）が取り出すことを可能にするのである。容器（１０）に対するガイド具（３７）を、前記苗出し機構（３０）による苗出し箇所を通過してきた容器（１０）をこれの横端部に作用して苗出し機構（３０）の下方に屈曲させると共に、縦送り機構（２６）の下方を通して苗のせ台（７）の上端側に戻すように形成した状態で苗のせ台（７）に付設してある。」と、
　公報第４頁左下欄第２行−１０行には「苗保持機構（３６）がガイドレール部材（１２）に載置したブロック状苗（９）・・を苗保持針（３１）により保持したままで苗のせ台（７）と共にガイドレール部材（１２）に対して横移動することにより、ガイドレール部材（１２）の上に在る複数のブロック状苗（９）・・が横一端側のものから１つずつ順次に、かつ、容器（１０）での横巾方向の苗並列ピッチに等しい供給ピッチで苗供給口（１１）に供給して植付爪（５ａ）に供給する」と、記載されている。
　また、苗植付部の一部切欠き側面図である第１図と、乗用型田植機全体の側面図である第６図には、
　（ａ）「苗のせ台（７）とガイド具（３７）は機体側面視でＵ字状に形成されていること」、
　（ｂ）「苗出し機構（３０）の苗押出し具（２７）の設置位置は苗のせ台（７）の下方であること」、
　（ｃ）「走行機体の後輪の前後方向一方側に苗のせ台（７）を設けたこと」、
　（ｄ）「苗のせ台（７）は後輪の前後方向他方側上方に向けた前後傾斜姿勢であること」
　が記載されていると認められる。
　そして、「苗のせ台とこれに付設したガイド具」は容器を移送するものであるから、「搬送経路」を形成しているものと認められる。
　したがって、引用文献１には以下の発明が記載されていると認められる。
　「後輪を装備した乗用型車輪式走行機体にリンク機構を介して、容器を搬送経路に沿って搬送する苗のせ台及びこれに付設したガイド具と、該搬送経路で容器からブロック状苗を押し出す苗出し機構と、ブロック状苗を苗供給口に供給して植付爪に供給する苗保持機構とを設けた苗植付装置を装着し、前記苗のせ台及びこれに付設したガイド具を、搬送上手側から順に、ブロック状苗を収納した容器を搭載し、該搭載部からの容器を搭載部より下位にある前記苗出し機構の苗出し箇所へ移送する苗のせ台と、苗押出し後の空の容器を苗のせ台の上端側に戻すガイド具とを、機体側面視でＵ字状に設けて構成した乗用型田植機において、乗用型車輪式走行機体の後輪の前後方向一方側に前記苗出し機構の苗出し箇所及び苗のせ台を設け、苗のせ台を後輪の前後方向他方側上方に向けた前後傾斜姿勢とした乗用型田植機。」（以下、「引用発明１」という）
　
　引用文献２の、
　公報第２頁右上欄第９行−第１６行には「回転体（８）にて係止反転移動されてくる育苗用シート（５）を後方へ係止送り出す補助回転体（９）を、前記回転体（８）と同調駆動される状態で苗のせ台（６）の背部に支承し、前記補助回転体（９）にて送り出されてくる育苗シート（５）を収納する枠体（１０）を、苗のせ台（６）の背部に付設し、もつて、苗取出し後の育苗シート（５）を、自動的に収納保持できるように構成してある。」と記載されている。
　また、第１図の苗のせ台（６）の左側に示された破断線は苗のせ台上に載置された育苗シート（５）を、第３図の左下方で左右方向に示された線は圃場面を、それぞれ示していると解されるから、歩行型田植機の側面図である第１図及び苗植付部の縦断側面図である第３図には、
　イ）苗のせ台（６）の上側部分の前後方向の傾斜は、下側部分の前後方向
の傾斜より緩い傾斜姿勢で育苗シート（５）を支持していること
　ロ）育苗シート（５）を収納する枠体（１０）の前後方向の傾斜は、補助回転体（９）にて送り出されてくる育苗シート（５）の前後方向の傾斜より緩い傾斜姿勢で育苗シート（５）を支持していること
　ハ）苗のせ台（６）の上側部分の前後方向の傾斜と、育苗シート（５）を収納する枠体（１０）の前後方向の傾斜は、機体の車輪（３）の前後方向に対し、同一方向の後方上方を向いていること
　が記載されていると認められる。
したがって、引用文献２には、
　「苗のせ台（６）の上側部分では、下側部分の前後方向の傾斜より緩い傾斜姿勢で育苗シート（５）を支持し、苗のせ台（６）の下端部分では、苗取出し後の育苗用シート（５）を上側へ反転移動させ、苗のせ台（６）の背部には、送り出されてくる育苗シート（５）を収納する枠体（１０）を付設した田植機において、前記苗のせ台（６）の上側部分を、苗のせ台（６）の下側部分より車輪の後方上方に向けた緩い前後傾斜姿勢で育苗シート（５）を支持し、枠体（１０）を、補助回転体（９）にて送り出されてくる育苗シート（５）より車輪の後方上方に向けた緩い前後傾斜姿勢で育苗シート（５）を支持する構成とした田植機」（以下「引用発明２」という）
が記載されていると認められる。
　
３，対比・判断
　本願発明と引用発明１とを比較する。
引用発明１の「乗用型車輪式走行機体」、「リンク機構」、「容器」、「苗のせ台及びこれに付設したガイド具」、「ブロック状苗」、「苗出し機構」、「苗植付装置」、「苗出し箇所」、「乗用型田植機」は、本願発明の「乗用型走行車」、「リンク装置」、「苗箱」、「苗箱送り台」、「苗」、「苗取出し手段」、「植付部」、「苗取出し位置」、「乗用型苗植機」にそれぞれ相当する。また引用発明１の「ブロック状苗を苗供給口に供給して植付爪に供給する苗保持機構」という技術事項は、本願発明の「苗を植付装置の苗取り位置へ搬送する苗搬送手段」という事項と技術的に一致するから、両者の一致点及び相違点は次のとおりである。
　
一致点
　後輪を装備した乗用型走行車にリンク装置を介して、苗箱を搬送経路に沿って搬送する苗箱送り台と、該搬送経路で苗箱から苗を取出す苗取出し手段と、苗を植付装置の苗取り位置へ搬送する苗搬送手段とを設けた植付部を装着し、搬送上手側から順に、苗を収容した苗箱の供給部と、該供給部より下位にある苗取出し手段の苗取出し位置へ送る供給側部分並びに苗取出し後の空の苗箱を上側へ送る戻し側部分とを、機体側面視でＵ字状に設けて構成した乗用型苗植機において、乗用型走行車の後輪の前後方向一方側に前記苗取出し手段の苗取出し位置及び苗を収容した苗箱の供給部と、苗取出し手段の苗取出し位置へ送る供給側部分を設け、苗を収容した苗箱の供給部と、苗取出し手段の苗取出し位置へ送る供給側部分とを後輪の前後方向他方側上方に向けた前後傾斜姿勢とした乗用型苗植機。
　
相違点
　（Ａ）本願発明では、苗箱送り台を、搬送上手側から順に、苗を収容した苗箱の供給部となる苗箱載せ部と、該苗箱載せ部からの苗箱を苗箱載せ部より下位にある前記苗取出し手段の苗取出し位置へ送る供給側部分並びに苗取出し後の空の苗箱を上側へ送る戻し側部分を備えた機体側面視でＵ字状の苗箱搬送部と、該苗箱搬送部から送られた空の苗箱を収納して保持する空箱収納部とを設けて構成したのに対し、引用発明１では、苗箱送り台の全体的な形状が機体側面視でＵ字状であり、また空箱収納部については記載されていない点
　（Ｂ）本願発明では、乗用型走行車の後輪の前後方向一方側に苗箱搬送部を設け、苗箱載せ部及び空箱収納部を、苗箱搬送部の供給側部分及び戻し側部分それぞれの搬送経路の前後方向の最大傾斜より後輪の前後方向他方側上方に向けた緩い前後傾斜姿勢で苗箱を支持するのに対し、引用発明１では、空箱収納部については記載されておらず、また苗箱搬送部とその他の構成部材との具体的な関連構成が記載されていない点
　
　そこで、上記相違点について検討する。
相違点（Ａ）について
　苗箱送り台の搬送上手側部分を構成する苗箱載せ部と苗箱搬送部とに関して、引用発明１には具体的な苗箱載せ部と苗箱搬送部という記載はないが、搬送上手側から順に、苗を収容した苗箱を搭載し、該搭載部からの苗箱を搭載部より下位にある苗取出し手段の苗取出し位置へ移送する部分並びに苗取出し後の空の苗箱を上側へ送る戻し側部分を備えたことが引用発明１には記載されているから、苗箱送り台についての相違点のうち、苗箱載せ部と苗箱搬送部とに関するものは、表現上の相違にすぎないものであり、苗箱を送る構成において実質的な相違は認められない。
　そして、機体側面視でＵ字状の苗箱搬送部と、該苗箱搬送部から送られた空の苗箱を収納して保持する空箱収納部とを設けて構成することは、引用発明２に示されたように、当該技術分野において周知・慣用であるから、引用発明１に記載された事項と周知・慣用技術とを組み合わせ、相違点（Ａ）に記載された構成とすることは当業者が容易になし得るものである。
　
相違点（Ｂ）について
　引用発明１には、上記のように、乗用型走行車の後輪の前後方向一方側に苗箱搬送部の供給側部分を設け、該供給側部分を後輪の前後方向他方側上方に向けた前後傾斜姿勢とした乗用型苗植機が記載されている。
　また、苗箱搬送部の上側部分を、苗箱搬送部の下側部分より緩い前後傾斜姿勢で苗箱を支持し、空箱収納部を、苗箱搬送部の戻し側部分より緩い前後傾斜姿勢で空の苗箱を支持し、両者の傾斜方向は車輪の前後方向に対し同一方向である構成とした苗植機は、引用発明２に示されたように、当該技術分野において周知・慣用であるから、引用発明２の苗箱搬送部の上側部分の構成及び緩い前後傾斜姿勢で空の苗箱を支持する空箱収納部の構成を、引用発明１の苗箱搬送部に適用し、相違点（Ｂ）に記載された構成とすることは当業者が容易になし得るものである。
　
　そして、効果の点においても、コンパクトな機体構成および作業性がよいということは、当業者が設計上、当然考慮すべき事項であって、本願発明が格別の効果を有するとは認められない。
４，むすび
　したがって、本願の請求項１に係る発明は、引用文献１に記載された発明及び周知・慣用技術に基づいて当業者が容易に発明をすることができたものであるから、特許法第２９条第２項の規定により特許を受けることができない。
　よって、結論のとおり審決する。